【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
コンピュータ実装された方法であって、
オンライン・システムのデータベース内に複数のオブジェクトを記憶する工程であって、各オブジェクトは、少なくとも１つのトピックに関連付けられている、工程と、
１以上のコンテンツ・ソースからコンテンツ・アイテムを受け取る工程であって、前記コンテンツ・アイテムの各々は、テキストを含み、
受け取った各コンテンツ・アイテムについて、前記コンテンツ・アイテムの前記テキストを１以上の文法テンプレートと比較する工程であって、各文法テンプレートは、前記オンライン・システムに記憶され、少なくとも１つの特定のトピックに関連付けられている少なくとも１つのオブジェクトと、特定の語句、フレーズ、または他のオブジェクトとの間の文法関係を定義し、各文法テンプレートは、対応するオントロジおよび前記対応するオントロジ内の特定のエンティティのうちの少なくとも１つに関連付けられている、工程と、
前記コンテンツ・アイテムの、前記オンライン・システムによって記憶され、少なくとも１つの対応するトピックに関連付けられている１以上のオブジェクトの各々に対する親和度を、前記１以上のオブジェクトの各々に関連付けられている文法テンプレートに一致する前記コンテンツ・アイテムのテキストの一部に少なくとも部分的に基づいて決定する、親和度決定工程と、
受け取った各コンテンツ・アイテムの前記少なくとも１つのオブジェクトに対する前記親和度に少なくとも部分的に基づいて、前記コンテンツ・アイテムを、前記オンライン・システムによって記憶されている少なくとも１つのオブジェクトに関連付ける、関連付け工程と、
トピックに関するフィードを生成する工程であって、前記フィードは、前記トピックに関連付けられている前記オンライン・システムによって記憶されている１以上のオブジェクトに関連付けられており、かつ前記コンテンツ・ソースのうちの１以上から受け取ったコンテンツ・アイテムを含む、フィード生成工程と
を備える方法。
【請求項２】
受け取ったコンテンツ・アイテムのテキストから用語を抽出する工程をさらに備え、前記親和度決定工程は、
受け取ったコンテンツ・アイテムから抽出された１以上の用語と、１以上のオブジェク
トに関連付けられているマッチ・キーとの比較に少なくとも部分的に基づいて、受け取った前記コンテンツ・アイテムからの用語と、前記データベース内の１以上のオブジェクトの各々との間における親和度を決定する工程であって、オブジェクトに関連付けられているマッチ・キーは、前記オブジェクトを識別する１以上の用語を含む、工程をさらに備える、請求項１に記載の方法。
【請求項３】
受け取ったコンテンツ・アイテムに関連付けられている作成者を識別する工程をさらに備え、前記親和度決定工程は、
前記トピックに関連付けられている前記データベース内の前記１以上のオブジェクトに対する、受け取った前記コンテンツ・アイテムに関連付けられている作成者の親和度を決定する工程をさらに備える、請求項１に記載の方法。
【請求項４】
前記トピックは、前記データベース内の前記１以上のオブジェクトに関連付けられているイベントであり、前記親和度決定工程は、
受け取った前記コンテンツ・アイテムのうちの各々に関連付けられている時間、および前記イベントに関連付けられている時間に少なくとも部分的に基づいて、前記トピックに関連付けられている前記データベース内の１以上のオブジェクトに対する、受け取った前記コンテンツ・アイテムの親和度を決定する工程をさらに備える、請求項１に記載の方法。
【請求項５】
前記フィード生成工程は、
前記トピックに関連付けられているオントロジに基づいて、前記トピックに関連付けられている前記データベース内の１以上のオブジェクトを識別する工程であって、前記オントロジは、前記データベース内の前記複数のオブジェクト同士の間における関係を定義する、工程と、
前記トピックに関連付けられている前記オントロジ内に含まれている前記データベース内の少なくとも１つのオブジェクトに関連付けられているコンテンツ・アイテムを、前記トピックに関する前記フィード内に含めるために選択する工程とを備える、請求項１に記載の方法。
【請求項６】
前記フィード生成工程は、
前記オンライン・システムによって記憶されており、かつ前記トピックに関連付けられている１以上のオブジェクトに関する少なくともしきい値親和度を有するコンテンツ・アイテムを、前記トピックに関する前記フィード内に含めるために選択する工程を備える、請求項１に記載の方法。
【請求項７】
前記しきい値親和度は、前記トピックに関連付けられている少なくとも１つのオブジェクトに関連付けられているコンテンツ・アイテムの数に少なくとも部分的に基づく、請求項６に記載の方法。
【請求項８】
前記しきい値親和度がユーザから受け取られる、請求項６に記載の方法。
【請求項９】
前記フィード生成工程は、
前記トピックを識別する要求を受け取る工程と、
前記要求を受け取ったことに応答して前記トピックに関する前記フィードを生成する工程とを備える、請求項１に記載の方法。
【請求項１０】
命令がその上にエンコードされている非一時的コンピュータ可読記憶媒体を備えるコンピュータ・プログラム製品であって、前記命令がプロセッサによって実行されたとき、前記プロセッサに、
オンライン・システムのデータベース内に複数のオブジェクトを記憶する工程であって、各オブジェクトは、少なくとも１つのトピックに関連付けられている、工程と、
１以上のコンテンツ・ソースからコンテンツ・アイテムを受け取る工程であって、前記コンテンツ・アイテムの各々は、テキストを含み、
受け取った各コンテンツ・アイテムについて、前記コンテンツ・アイテムの前記テキストを１以上の文法テンプレートと比較する工程であって、各文法テンプレートは、前記オンライン・システムに記憶され、少なくとも１つの特定のトピックに関連付けられている少なくとも１つのオブジェクトと、特定の語句、フレーズ、または他のオブジェクトとの間の文法関係を定義し、各文法テンプレートは、対応するオントロジおよび前記対応するオントロジ内の特定のエンティティのうちの少なくとも１つに関連付けられている、工程と、
前記コンテンツ・アイテムの、前記オンライン・システムによって記憶され、少なくとも１つの対応するトピックに関連付けられている１以上のオブジェクトの各々に対する親和度を、前記１以上のオブジェクトの各々に関連付けられている文法テンプレートに一致する前記コンテンツ・アイテムのテキストの一部に少なくとも部分的に基づいて決定する、親和度決定工程と、
受け取った各コンテンツ・アイテムの前記少なくとも１つのオブジェクトに対する前記親和度に少なくとも部分的に基づいて、前記コンテンツ・アイテムを、前記オンライン・システムによって記憶されている少なくとも１つのオブジェクトに関連付ける、関連付け工程と、
トピックに関するフィードを生成する工程であって、前記フィードは、前記トピックに関連付けられている前記オンライン・システムによって記憶されている１以上のオブジェクトに関連付けられており、かつ前記コンテンツ・ソースのうちの１以上から受け取ったコンテンツ・アイテムを含む、フィード生成工程と
を行わせる、コンピュータ・プログラム製品。
【請求項１１】
前記命令は、プロセッサによって実行されたとき、前記プロセッサに、
受け取ったコンテンツ・アイテムのテキストから用語を抽出する工程を行わせる命令をさらに備え、前記親和度決定工程は、
受け取ったコンテンツ・アイテムから抽出された１以上の用語と、１以上のオブジェクトに関連付けられているマッチ・キーとの比較に少なくとも部分的に基づいて、受け取った前記コンテンツ・アイテムからの用語と、前記データベース内の１以上のオブジェクトの各々との間における親和度を決定する工程であって、オブジェクトに関連付けられているマッチ・キーは、前記オブジェクトを識別する１以上の用語を含む、工程をさらに備える、請求項１０に記載のコンピュータ・プログラム製品。
【請求項１２】
前記命令は、プロセッサによって実行されたとき、前記プロセッサに、
受け取ったコンテンツ・アイテムに関連付けられている作成者を識別する工程を行わせる命令をさらに備え、前記親和度決定工程は、
前記トピックに関連付けられている前記データベース内の前記１以上のオブジェクトに対する、受け取った前記コンテンツ・アイテムに関連付けられている作成者の親和度を決定する工程をさらに備える、請求項１０に記載のコンピュータ・プログラム製品。
【請求項１３】
前記トピックは、前記データベース内の前記１以上のオブジェクトに関連付けられているイベントであり、前記親和度決定工程は、
受け取った前記コンテンツ・アイテムのうちの各々に関連付けられている時間、および前記イベントに関連付けられている時間に少なくとも部分的に基づいて、前記トピックに関連付けられている前記データベース内の１以上のオブジェクトに対する、受け取った前記コンテンツ・アイテムの親和度を決定する工程をさらに備える、請求項１０に記載のコンピュータ・プログラム製品。
【請求項１４】
前記フィード生成工程は、
前記トピックに関連付けられているオントロジに基づいて、前記トピックに関連付けられている前記データベース内の１以上のオブジェクトを識別する工程であって、前記オントロジは、前記データベース内の前記複数のオブジェクト同士の間における関係を定義する、工程と、
前記トピックに関連付けられている前記オントロジ内に含まれている前記データベース内の少なくとも１つのオブジェクトに関連付けられているコンテンツ・アイテムを、前記トピックに関する前記フィード内に含めるために選択する工程とを備える、請求項１０に記載のコンピュータ・プログラム製品。
【請求項１５】
前記フィード生成工程は、
前記オンライン・システムによって記憶されており、かつ前記トピックに関連付けられている１以上のオブジェクトに関する少なくともしきい値親和度を有するコンテンツ・アイテムを、前記トピックに関する前記フィード内に含めるために選択する工程を備える、請求項１０に記載のコンピュータ・プログラム製品。
【請求項１６】
前記しきい値親和度は、前記トピックに関連付けられている少なくとも１つのオブジェクトに関連付けられているコンテンツ・アイテムの数に少なくとも部分的に基づく、請求項１５に記載のコンピュータ・プログラム製品。
【請求項１７】
前記しきい値親和度がユーザから受け取られる、請求項１５に記載のコンピュータ・プログラム製品。
【請求項１８】
前記フィード生成工程は、
前記トピックを識別する要求を受け取る工程と、
前記要求を受け取ったことに応答して前記トピックに関する前記フィードを生成する工程とを備える、請求項１０に記載のコンピュータ・プログラム製品。